(57)【要約】【課題】一の情報処理装置が一の接続システムを通じて取得した情報を、他の情報処理装置が他の接続システムを通じて安価に取得できるようにする。【解決手段】情報処理装置１０の登録部１１は、接続システム２ａを通じて取得した情報３ａの識別子４を登録する際、その情報３ａが通信料金の割引対象である場合、識別子４に割引情報５を付加して登録する。識別子４および割引情報５は、情報処理装置２０に対して転送され、記憶部２３に登録される。情報処理装置２０の情報取得部２２は、記憶部２３から選択された識別子４が示す情報３ａを接続システム２ｂを通じて取得するとともに、選択された識別子４に割引情報５が付加されていた場合には、情報３ａを取得する際の通信料金が割引されるようにする。【選択図】図１
2012248973.tif 000002
【特許請求の範囲】
【請求項１】
第１の接続システムを通じてネットワークに接続するとともに、前記ネットワークおよび前記第１の接続システムを通じて取得した情報の識別子を、その内部の記憶部に登録する機能を備えたコンピュータで実行される情報処理プログラムにおいて、
前記コンピュータに、
前記記憶部に識別子を登録する際に、登録する識別子が示す情報を第２の接続システムを通じて取得する際に通信料金の割引を受けられるかを判定し、割引を受けられる場合に、前記登録する識別子に割引情報を付加して前記記憶部に登録し、
前記記憶部に登録された識別子および割引情報を、前記第２の接続システムを通じて前記ネットワークに接続する他の情報処理装置に対して送信する、
処理を実行させることを特徴とする情報処理プログラム。
【請求項２】
前記記憶部に登録された識別子および割引情報を送信する処理では、当該識別子および当該割引情報を、送信された識別子が示す情報を前記ネットワークおよび前記第２の接続システムを通じて取得するとともに、割引情報が付加された識別子が示す情報の取得時に通信料金の割引を適用させる処理において使用されるブックマーク情報として、前記他の情報処理装置に送信することを特徴とする請求項１記載の情報処理プログラム。
【請求項３】
前記記憶部に識別子を登録する際には、さらに、前記第１の接続システムが、前記第２の接続システムに対応付けてあらかじめ指定された接続システムかを判定し、前記第１の接続システムが指定された接続システムであり、かつ、前記登録する識別子が示す情報を前記第２の接続システムを通じて取得する際に通信料金の割引を受けられる場合に、前記登録する識別子に割引情報を付加して前記記憶部に登録することを特徴とする請求項１または２記載の情報処理プログラム。
【請求項４】
前記記憶部に割引情報を付加した識別子を登録する際に、通信料金の割引率に応じた情報を割引情報に含めることを特徴とする請求項１〜３のいずれか１項に記載の情報処理プログラム。
【請求項５】
第１の接続システムを通じてネットワークに接続する情報処理装置において、
第２の接続システムを通じて前記ネットワークに接続する他の情報処理装置が前記ネットワークおよび前記第２の接続システムを通じて取得した情報の識別子を、前記他の情報処理装置から受信して前記情報処理装置内の記憶部に登録するとともに、前記取得した情報を前記第１の接続システムを通じて取得する際に通信料金の割引を受けられると前記他の情報処理装置が判定した場合には、識別子に付加された割引情報も前記他の情報処理装置から受信して前記記憶部に登録する登録部と、
前記記憶部から選択された識別子が示す情報を前記ネットワークおよび前記第１の接続システムを通じて取得するとともに、前記選択された識別子に割引情報が付加されていた場合には、前記選択された識別子が示す情報を取得する際の通信料金が割引されるようにする割引適用処理を実行する情報取得部と、
を有することを特徴とする情報処理装置。
【請求項６】
前記情報取得部は、前記割引適用処理として、前記第１の接続システムに含まれる、それぞれ前記ネットワークに対する接続処理を行う複数の接続処理部のうち、通信料金が割引されない場合とは異なる接続処理部にアクセスすることを特徴とする請求項５記載の情報処理装置。
【請求項７】
前記他の情報処理装置から受信した割引情報は割引率に応じた情報を含み、
前記情報取得部は、前記割引適用処理として、前記選択された識別子に付加された割引情報に基づく通信料金の割引率が適用されるようにする、
ことを特徴とする請求項５または６記載の情報処理装置。
【請求項８】
前記情報取得部は、前記割引適用処理として、前記第１の接続システムに含まれる、それぞれ前記ネットワークに対する接続処理を互いに異なる通信料金の割引率を適用して行う複数の接続処理部のうち、前記選択された識別子に付加された割引情報に基づく割引率を適用する接続処理部にアクセスすることを特徴とする請求項７記載の情報処理装置。
【請求項９】
第１の接続システムを通じてネットワークに接続する第１の情報処理装置と、第２の接続システムを通じて前記ネットワークに接続する第２の情報処理装置とを含む情報処理システムにおいて、
前記第１の情報処理装置は、
前記ネットワークおよび前記第１の接続システムを通じて取得した情報の識別子を、前記第１の情報処理装置内の第１の記憶部に登録するとともに、登録する識別子が示す情報を前記第２の接続システムを通じて取得する際に通信料金の割引を受けられるかを判定し、割引を受けられる場合に、前記登録する識別子に割引情報を付加して前記第１の記憶部に登録する第１の登録部と、
前記第１の記憶部に登録された識別子および割引情報を前記第２の情報処理装置に送信する送信部と、
を有し、
前記第２の情報処理装置は、
前記送信部から送信された識別子および割引情報を、前記第２の情報処理装置内の第２の記憶部に登録する第２の登録部と、
前記第２の記憶部から選択された識別子が示す情報を前記ネットワークおよび前記第２の接続システムを通じて取得するとともに、前記選択された識別子に割引情報が付加されていた場合には、前記選択された識別子が示す情報を取得する際の通信料金が割引されるようにする割引適用処理を実行する情報取得部と、
を有することを特徴とする情報処理システム。
【請求項１０】
前記第１の登録部は、さらに、前記第１の接続システムが、前記第２の接続システムに対応付けてあらかじめ指定された接続システムかを判定し、前記第１の接続システムが指定された接続システムであり、かつ、前記登録する識別子が示す情報を前記第２の接続システムを通じて取得する際に通信料金の割引を受けられる場合に、前記登録する識別子に割引情報を付加して前記記憶部に登録することを特徴とする請求項９記載の情報処理システム。
【請求項１１】
前記第２の情報処理装置の前記情報取得部は、前記割引適用処理として、前記第２の接続システムに含まれる、それぞれ前記ネットワークに対する接続処理を行う複数の接続処理部のうち、通信料金が割引されない場合とは異なる接続処理部にアクセスすることを特徴とする請求項９または１０記載の情報処理システム。
【請求項１２】
前記第１の情報処理装置の前記第１の登録部は、前記第１の記憶部に割引情報を付加した識別子を登録する際に、通信料金の割引率に応じた情報を割引情報に含め、
前記第２の情報処理装置の前記情報取得部は、前記割引適用処理として、前記選択された識別子に付加された割引情報に基づく通信料金の割引率が適用されるようにする、
ことを特徴とする請求項９または１０記載の情報処理システム。
【請求項１３】
前記第２の情報処理装置の前記情報取得部は、前記割引適用処理として、前記第２の接続システムに含まれる、それぞれ前記ネットワークに対する接続処理を互いに異なる通信料金の割引率を適用して行う複数の接続処理部のうち、前記選択された識別子に付加された割引情報に基づく割引率を適用する接続処理部にアクセスすることを特徴とする請求項１２記載の情報処理システム。
【請求項１４】
第１の接続システムを通じてネットワークに接続する第１の情報処理装置と、第２の接続システムを通じて前記ネットワークに接続する第２の情報処理装置とを含む情報処理システムにおける情報処理方法であって、
前記第１の情報処理装置が、前記ネットワークおよび前記第１の接続システムを通じて取得した情報の識別子を、前記第１の情報処理装置内の第１の記憶部に登録するとともに、登録する識別子が示す情報を前記第２の接続システムを通じて取得する際に通信料金の割引を受けられるかを判定し、割引を受けられる場合に、前記登録する識別子に割引情報を付加して前記第１の記憶部に登録し、
前記第１の情報処理装置が、前記第１の記憶部に登録された識別子および割引情報を前記第２の情報処理装置に送信し、
前記第２の情報処理装置が、前記第１の情報処理装置から送信された識別子および割引情報を、前記第２の情報処理装置内の第２の記憶部に登録し、
前記第２の情報処理装置が、前記第２の記憶部から選択された識別子が示す情報を前記ネットワークおよび前記第２の接続システムを通じて取得するとともに、前記選択された識別子に割引情報が付加されていた場合には、前記選択された識別子が示す情報を取得する際の通信料金が割引されるようにする割引適用処理を実行する、
ことを特徴とする情報処理方法。
【発明の詳細な説明】
【技術分野】
【０００１】
本発明は、情報処理プログラム、情報処理装置、情報処理システムおよび情報処理方法に関する。
【背景技術】
【０００２】
近年、多くのユーザが、ＰＣ（Personal Computer）だけでなく、携帯電話機を用いてＷｅｂページを閲覧している。このようなユーザの間には、ＰＣで日常的に閲覧するＷｅｂページを、携帯電話機でも閲覧したいという要望がある。これに対し、ＰＣが自装置にブックマーク情報を登録する際に、登録するＷｅｂページのＵＲＬ（Uniform Resource Locator）をサーバに登録し、サーバに登録したＵＲＬを携帯電話機から参照可能にすることで、ＰＣと携帯電話機との間でブックマーク情報を共有できるようにしたシステムがある。
【０００３】
また、一般的に、携帯電話機が移動通信網を通じてインターネットにアクセスする際の通信料金は、ＰＣがインターネットプロバイダを通じてインターネットにアクセスする際の通信料金より高額になる。そこで、携帯電話機などの移動機が通信する際の通信料金を低減するための様々な施策が考えられている。例えば、情報提供サイトのサーバから携帯電話機がファイルをダウンロードする際に、そのサイトが携帯電話会社の提携先であるか否かに応じて、通信料金の割引率を設定するようにしたシステムがある。あるいは、移動機から中継装置を介してサーバ装置にアクセスする際に、中継装置が、アクセス先のサーバ装置が情報提供事業者課金の対象であるか否かに応じて課金処理を実行するようにしたシステムもある。
【先行技術文献】
【特許文献】
【０００４】
【特許文献１】特開２００８−９７２０１号公報
【特許文献２】特開２００４−１７１３９２号公報
【特許文献３】特開２０００−７８１２９号公報
【発明の概要】
【発明が解決しようとする課題】
【０００５】
ＰＣで日常的に閲覧するＷｅｂページを、携帯電話機でも閲覧しようとすると、高額な通信料金がかかってしまうことがある。特に、携帯電話機では、モバイル端末向けのＷｅｂサイトと比較して、ＰＣ向けのＷｅｂサイトを閲覧する際の通信料金がより高額である場合が多い。このため、ＰＣで閲覧していたＷｅｂページを携帯電話機で閲覧しようとすると、通信料金がさらに増大する可能性がある。
【０００６】
このように、ある接続サービスのシステムを通じて取得した情報を、別の情報処理装置を用い、料金体系の異なる別の接続サービスのシステムを通じて取得しようとすると、通信料金が増大してしまうという問題があった。
【０００７】
本発明はこのような課題に鑑みてなされたものであり、一の情報処理装置が一の接続システムを通じて取得した情報を、他の情報処理装置が他の接続システムを通じて安価に取得できるようにした情報処理プログラム、情報処理装置、情報処理システムおよび情報処理方法を提供することを目的とする。
【課題を解決するための手段】
【０００８】
上記目的を達成するために、次のような情報処理プログラムが提供される。情報処理プログラムは、第１の接続システムを通じてネットワークに接続するとともに、ネットワークおよび第１の接続システムを通じて取得した情報の識別子を、その内部の記憶部に登録する機能を備えたコンピュータで実行される。このコンピュータは、情報処理プログラムに従って次のような処理を実行する。コンピュータは、記憶部に識別子を登録する際に、登録する識別子が示す情報を第２の接続システムを通じて取得する際に通信料金の割引を受けられるかを判定し、割引を受けられる場合に、登録する識別子に割引情報を付加して記憶部に登録する。また、コンピュータは、記憶部に登録された識別子および割引情報を、第２の接続システムを通じてネットワークに接続する他の情報処理装置に対して送信する。
【０００９】
また、上記目的を達成するために、第１の接続システムを通じてネットワークに接続する情報処理装置が提供される。この情報処理装置は、登録部と、情報取得部とを有する。登録部は、第２の接続システムを通じてネットワークに接続する他の情報処理装置がネットワークおよび第２の接続システムを通じて取得した情報の識別子を、他の情報処理装置から受信して情報処理装置内の記憶部に登録するとともに、取得した情報を第１の接続システムを通じて取得する際に通信料金の割引を受けられると他の情報処理装置が判定した場合には、識別子に付加された割引情報も他の情報処理装置から受信して記憶部に登録する。情報取得部は、記憶部から選択された識別子が示す情報をネットワークおよび第１の接続システムを通じて取得するとともに、選択された識別子に割引情報が付加されていた場合には、選択された識別子が示す情報を取得する際の通信料金が割引されるようにする割引適用処理を実行する。
【００１０】
さらに、上記目的を達成するために、第１の接続システムを通じてネットワークに接続する第１の情報処理装置と、第２の接続システムを通じてネットワークに接続する第２の情報処理装置とを含む情報処理システムが提供される。この情報処理システムにおいて、第１の情報処理装置は、第１の登録部と、送信部とを有する。第１の登録部は、ネットワークおよび第１の接続システムを通じて取得した情報の識別子を、第１の情報処理装置内の第１の記憶部に登録するとともに、登録する識別子が示す情報を第２の接続システムを通じて取得する際に通信料金の割引を受けられるかを判定し、割引を受けられる場合に、登録する識別子に割引情報を付加して第１の記憶部に登録する。送信部は、第１の記憶部に登録された識別子および割引情報を第２の情報処理装置に送信する。また、第２の情報処理装置は、第２の登録部と、情報取得部とを有する。第２の登録部は、送信部から送信された識別子および割引情報を、第２の情報処理装置内の第２の記憶部に登録する。情報取得部は、第２の記憶部から選択された識別子が示す情報をネットワークおよび第２の接続システムを通じて取得するとともに、選択された識別子に割引情報が付加されていた場合には、選択された識別子が示す情報を取得する際の通信料金が割引されるようにする割引適用処理を実行する。
【００１１】
また、上記目的を達成するために、上記の情報処理システムと同様の処理を実行する情報処理方法が提供される。
【発明の効果】
【００１２】
上記の情報処理プログラム、情報処理装置、情報処理システムおよび情報処理方法によれば、一方の装置が一方の接続システムを通じて取得した情報を、他方の装置が他方の接続システムを通じて安価に取得できるようになる。
【図面の簡単な説明】
【００１３】
【図１】第１の実施の形態に係る情報処理システムの構成例を示す図である。
【図２】第２の実施の形態に係る情報処理システムのシステム構成例を示す図である。
【図３】ＰＣのハードウェア構成例を示す図である。
【図４】携帯電話機のハードウェア構成例を示す図である。
【図５】情報処理システムにおける動作の概要を示す図である。
【図６】提携プロバイダＤＢに登録される情報の例を示す図である。
【図７】ＷｅｂサイトＤＢに登録される情報の例を示す図である。
【図８】ＰＣが備える処理機能の構成例を示すブロック図である。
【図９】ＰＣのプロバイダシステムに対する第１の接続形態例を示す図である。
【図１０】ＰＣのプロバイダシステムに対する第２の接続形態例を示す図である。
【図１１】ＩＰアドレス調査サーバとの間で送受信されるパケットの構成例を示す図である。
【図１２】プロバイダ調査部の処理手順の例を示すフローチャートである。
【図１３】ブックマーク処理手順の例を示すフローチャートである。
【図１４】ＰＣに記憶されるブックマーク情報のデータ構造例を示す図である。
【図１５】ＰＣにおけるブックマーク情報の表示例を示す図である。
【図１６】携帯電話機が備える処理機能の構成例を示すブロック図である。
【図１７】ブックマーク情報の転送処理手順の例を示すシーケンス図である。
【図１８】携帯電話機におけるブックマーク情報の表示例を示す図である。
【図１９】キャリアシステムの内部構成例を示す図である。
【図２０】ブックマークされた情報に基づくＷｅｂページの表示処理手順の例を示すフローチャートである。
【図２１】携帯電話機の識別情報を用いてブックマーク情報を暗号化する場合の処理について示す図である。
【発明を実施するための形態】
【００１４】
以下、実施の形態について図面を参照して詳細に説明する。
〔第１の実施の形態〕
図１は、第１の実施の形態に係る情報処理システムの構成例を示す図である。
【００１５】
図１に示す情報処理システムは、それぞれネットワーク１に接続可能な２つの情報処理装置１０，２０を含む。情報処理装置１０は、接続システム２ａを通じてネットワーク１に接続する。一方、情報処理装置２０は、接続システム２ｂを通じてネットワーク１に接続する。
【００１６】
接続システム２ａ，２ｂは、それぞれ、ネットワーク１に対する接続サービスを提供する個別のサービス業者によって運営されるシステムである。接続システム２ａ，２ｂのそれぞれには、例えば、ネットワーク１に対する接続処理を行う機器の他、通信料金の課金を管理する機器などが含まれる。
【００１７】
ここで、本実施の形態では、接続システム２ａを通じてネットワーク１に接続した際の通信料金より、接続システム２ｂを通じてネットワーク１に接続した際の通信料金の方が高額であるものとする。例えば、接続システム２ａが、インターネットプロバイダが運営するシステムであるのに対し、接続システム２ｂが、携帯電話キャリアのような移動体通信業者が運営するシステムであるものとする。
【００１８】
図１中の点線矢印に示すように、情報処理装置１０は、ネットワーク１および接続システム２ａを通じて、情報３ａを取得することができる一方、情報処理装置２０は、ネットワーク１および接続システム２ｂを通じて、同じ情報３ａを取得することができる。以下の説明では、例として、情報３ａは、ネットワーク１に接続されたサーバ装置３から送信されるものとする。情報３ａは、ＵＲＬなどの識別子によって特定されるデータまたはデータ群である。このような情報３ａとしては、例えば、Ｗｅｂページのデータなどの表示情報であってもよいし、あるいは、画像、動画像などのデータファイルであってもよい。情報処理装置１０，２０は、識別子を指定してネットワーク１にアクセスすることで、指定した識別子が示す情報３ａをサーバ装置３から受信する。
【００１９】
情報処理装置１０は、登録部１１、送信部１２および記憶部１３を備える。登録部１１および送信部１２の処理は、例えば、情報処理装置１０が有するＣＰＵ（Central Processing Unit）が所定のプログラムを実行することで実現される。記憶部１３は、例えば、ＨＤＤ（Hard Disk Drive）などの不揮発性記憶装置によって実現される。
【００２０】
登録部１１は、情報処理装置１０がネットワーク１および接続システム２ａを通じて取得した情報３ａの識別子４を、例えばユーザの入力操作に応じて、記憶部１３に登録する。また、登録部１１は、このような識別子４を記憶部１３に登録する際に、この識別子４が示す情報３ａを他方の接続システム２ｂを通じて取得した際に、通信料金の割引を受けられるかを判定する。登録部１１は、通信料金の割引を受けられると判定した場合、識別子４に対して割引情報５を付加して記憶部１３に登録する。一方、通信料金の割引を受けられないと判定した場合、登録部１１は、識別子４のみを記憶部１３に登録することになる。
【００２１】
登録部１１は、通信料金の割引を受けられるかの判定を、例えば、ネットワーク１に接続された所定のサーバ装置（図示せず）に問い合わせることで実行する。この場合、登録部１１は、例えば、記憶部１３に登録する識別子４をサーバ装置に通知する。サーバ装置は、通知された識別子４が示す情報３ａが、通信料金の割引を受けられる対象であるかを、情報処理装置１０に対して回答する。
【００２２】
送信部１２は、記憶部１３に登録された識別子４を、情報処理装置２０に送信する。また、送信部１２は、送信する識別子４に割引情報５が付加されていた場合には、識別子４に割引情報５を付加したまま情報処理装置２０に送信する。なお、識別子４および割引情報５は、例えば、ＵＳＢ（Universal Serial Bus）ケーブルを通じた通信や、ブルートゥース（Bluetooth，登録商標）に従った無線通信など、情報処理装置１０と情報処理装置２０とがネットワークを介さずに直接通信できる通信方式によって送信されることが望ましい。
【００２３】
情報処理装置２０は、登録部２１、情報取得部２２および記憶部２３を備える。登録部２１および情報取得部２２の処理は、例えば、情報処理装置２０が有するＣＰＵが所定のプログラムを実行することで実現される。記憶部２３は、例えば、ＨＤＤなどの不揮発性記憶装置によって実現される。
【００２４】
登録部２１は、情報処理装置１０の送信部１２から送信された識別子４を、記憶部２３に登録する。また、登録部２１は、送信部１２から送信された識別子４に割引情報５が付加されている場合には、識別子４とともに割引情報５も記憶部２３に登録する。
【００２５】
ここで、識別子４は、情報処理装置２０のユーザが簡単な操作によって呼び出して選択できる状態で登録されることが望ましい。例えば、情報３ａがＷｅｂページであり、識別子４がＵＲＬである場合、識別子４は、情報処理装置２０が備えるＷｅｂブラウザ機能によって利用されるブックマーク情報として登録される。
【００２６】
情報取得部２２は、ユーザの操作によって記憶部２３から選択された識別子４が示す情報３ａを、ネットワーク１および接続システム２ｂを通じて取得する。情報取得部２２は、識別子４を指定してネットワーク１にアクセスすることで、サーバ装置３から情報３ａを受信する。このような取得処理の際、情報取得部２２は、選択された識別子４に割引情報５が付加されていた場合には、選択された識別子４が示す情報３ａを取得する際の通信料金が割引されるようにする割引適用処理を実行する。
【００２７】
割引適用処理は、例えば、次のように実行される。接続システム２ｂには、ネットワーク１への接続処理をそれぞれ実行する複数の接続部が含まれる。情報取得部２２は、選択された識別子４に割引情報５が付加されていた場合と、割引情報５が付加されていない場合とで、異なる接続部にアクセスし、アクセスした接続部を通じて情報３ａを取得する。接続部ごとに異なる通信料金が課金されることで、割引情報５が付加された識別子４が示す情報３ａの取得時において、通信料金が低減される。
【００２８】
また、別の処理方法として、情報取得部２２は、選択された識別子４に割引情報５が付加されていた場合には、情報３ａの取得のために接続システム２ｂにアクセスする際に、割引の適用を示す割引適用情報をパケットに付加して送信してもよい。この場合、接続システム２ｂ内の接続部は、割引適用情報が付加されたパケットをネットワーク１に送信する際と、その送信パケットに対する応答パケットをネットワーク１から受信して情報処理装置２０に送信する際に、割引を適用した通信料金を課金する。
【００２９】
以上説明した第１の情報処理システムでは、情報処理装置１０が接続システム２ａを通じて取得した情報３ａを、別の情報処理装置２０が別の接続システム２ｂを通じて取得する際に、通信料金を低減できる。これにより、例えば、ユーザは、情報処理装置１０を用いて日常的に取得している情報３ａを、別の情報処理装置２０を用いて取得したい場合でも、情報３ａをより安価で取得できるようになる。
【００３０】
〔第２の実施の形態〕
次に、図１の情報３ａの例として、インターネット上のＷｅｂサーバからＷｅｂページの情報を取得可能な情報処理システムについて説明する。図２は、第２の実施の形態に係る情報処理システムのシステム構成例を示す図である。
【００３１】
図２に示す情報処理システムは、インターネット１００に対して、ユーザが使用する端末装置が接続できるようになっている。本実施の形態において、ユーザは、ＰＣ２００および携帯電話機３００という２つの端末装置を使用するものとする。
【００３２】
図２において、ＰＣ２００は、ユーザが使用する一方の端末装置の例である。また、プロバイダシステム４００は、インターネット１００に対する接続サービスを提供するインターネットプロバイダによって運営されるシステムであり、ＰＣ２００は、プロバイダシステム４００を通じてインターネット１００に接続する。
【００３３】
プロバイダシステム４００には、例えば、ネットワーク４０１、ルータ４０２およびゲートウェイサーバ（ＧＷＳ）４０３などが設けられている。ネットワーク４０１は、例えば、ＩＰ（Internet Protocol）ネットワークである。ルータ４０２は、プロバイダシステム４００の内部のネットワーク４０１と、インターネットプロバイダに加入するユーザの端末装置（図２ではＰＣ２００）との間で、データを中継する。ゲートウェイサーバ４０３は、ネットワーク４０１とインターネット１００との間でデータを中継する。また、ゲートウェイサーバ４０３は、例えば、ネットワーク４０１に接続された加入者データベースサーバ（図示せず）などと連携して、データの送受信の際の認証処理や課金処理などを実行してもよい。
【００３４】
一方、図２において、携帯電話機３００は、ユーザが使用する他方の端末装置の例である。携帯電話機３００は、携帯電話キャリアが運営するキャリアシステム５００を通じて、インターネット１００に接続する。なお、キャリアシステム５００に接続する端末装置の例としては、携帯電話機の他、ノート型ＰＣなどの各種情報処理装置がある。
【００３５】
キャリアシステム５００には、例えば、ネットワーク５０１、基地局５０２およびゲートウェイサーバ（ＧＷＳ）５０３などが設けられている。ネットワーク５０１は、携帯電話キャリア独自のプロトコルに従って通信可能なネットワークである。基地局５０２は、携帯電話機３００など、携帯電話キャリアに加入するユーザの端末装置との間で無線通信し、端末装置とネットワーク５０１との間でデータを中継する。なお、実際には、基地局５０２は複数存在する。ゲートウェイサーバ５０３は、ネットワーク５０１とインターネット１００との間でデータを中継する。データの中継の際、ゲートウェイサーバ５０３は、ネットワーク５０１で使用されるプロトコルとインターネット１００で使用されるプロトコルとの相互変換を行う。
【００３６】
また、インターネット１００には、それぞれＷｅｂサイトを提供する複数のＷｅｂサーバ１１０ａ〜１１０ｃが接続されている。ＰＣ２００は、プロバイダシステム４００を通じてＷｅｂサーバ１１０ａ〜１１０ｃにアクセスすることで、各サーバが提供するＷｅｂサイトのページを、ＰＣ２００に接続されたモニタに表示させることができる。また、携帯電話機３００は、キャリアシステム５００を通じてＷｅｂサーバ１１０ａ〜１１０ｃにアクセスすることで、各サーバが提供するＷｅｂサイトのページを、携帯電話機３００が備えるモニタに表示させることができる。
【００３７】
さらに、インターネット１００には、ＩＰアドレス調査サーバ１２０および割引情報サーバ１３０が接続されている。ＩＰアドレス調査サーバ１２０は、インターネット１００を通じて調査要求コマンドを受信したとき、その受信パケット内の送信元ＩＰアドレスを、送信パケット内のデータ領域に埋め込んで返信する。割引情報サーバ１３０は、携帯電話キャリアが運営するサーバ装置である。割引情報サーバ１３０は、携帯電話キャリアにおける通信料金の割引に関する情報を、インターネット１００を通じて提供する。
【００３８】
なお、ＰＣ２００と携帯電話機３００とは、例えばＵＳＢケーブルを介して接続できるようになっている。
図３は、ＰＣのハードウェア構成例を示す図である。
【００３９】
ＰＣ２００は、ＣＰＵ２０１によって装置全体が制御されている。ＣＰＵ２０１には、バス２０９を介して、ＲＡＭ（Random Access Memory）２０２と複数の周辺機器が接続されている。
【００４０】
ＲＡＭ２０２は、ＰＣ２００の主記憶装置として使用される。ＲＡＭ２０２には、ＣＰＵ２０１に実行させるＯＳ（Operating System）プログラムやアプリケーションプログラムの少なくとも一部が一時的に格納される。また、ＲＡＭ２０２には、ＣＰＵ２０１による処理に必要な各種データが格納される。
【００４１】
バス２０９に接続されている周辺機器としては、ＨＤＤ２０３、グラフィック処理装置２０４、入力インタフェース（Ｉ／Ｆ）２０５、光学ドライブ装置２０６、ネットワークインタフェース２０７および通信インタフェース２０８がある。
【００４２】
ＨＤＤ２０３は、内蔵した磁気ディスクに対して、磁気的にデータの書き込みおよび読み出しを行う。ＨＤＤ２０３は、ＰＣ２００の二次記憶装置として使用される。ＨＤＤ２０３には、ＯＳプログラム、アプリケーションプログラム、および各種データが格納される。なお、二次記憶装置としては、フラッシュメモリなどの半導体記憶装置を使用することもできる。
【００４３】
グラフィック処理装置２０４には、モニタ２０４ａが接続されている。グラフィック処理装置２０４は、ＣＰＵ２０１からの命令に従って、画像をモニタ２０４ａに表示させる。なお、モニタ２０４ａは、例えば、液晶ディスプレイである。
【００４４】
入力インタフェース２０５には、例えば、キーボード２０５ａおよびマウス２０５ｂが接続されている。入力インタフェース２０５は、キーボード２０５ａやマウス２０５ｂからの出力信号をＣＰＵ２０１に送信する。なお、マウス２０５ｂは、ポインティングデバイスの一例であり、他のポインティングデバイスを使用することもできる。他のポインティングデバイスとしては、タッチパネル、タブレット、タッチパッド、トラックボールなどがある。
【００４５】
光学ドライブ装置２０６は、レーザ光などを利用して、光ディスク２０６ａに記録されたデータの読み取りを行う。光ディスク２０６ａは、光の反射によって読み取り可能なようにデータが記録された可搬型の記録媒体である。光ディスク２０６ａには、ＤＶＤ（Digital Versatile Disc）、ＤＶＤ−ＲＡＭ、ＣＤ−ＲＯＭ（Compact Disc Read Only Memory）、ＣＤ−Ｒ（Recordable）／ＲＷ（Rewritable）などがある。
【００４６】
ネットワークインタフェース２０７は、ＰＣ２００が設置された建物内のネットワークに接続されている。ネットワークインタフェース２０７は、建物内に設置されたブロードバンドルータなどを通じて、プロバイダシステム４００のルータ４０２に接続する。
【００４７】
通信インタフェース２０８は、他の機器と有線または無線により接続して通信を行う。本実施の形態では、ＰＣ２００は、通信インタフェース２０８を通じて、携帯電話機３００との間で通信する。なお、有線通信の例としては、例えば、ＵＳＢ方式などを使用できる。無線通信の例としては、ブルートゥースなどを使用できる。
【００４８】
なお、Ｗｅｂサーバ１１０ａ〜１１０ｃ、ＩＰアドレス調査サーバ１２０および割引情報サーバ１３０も、図３と同様のハードウェア構成によって実現できる。
図４は、携帯電話機のハードウェア構成例を示す図である。
【００４９】
携帯電話機３００は、無線処理回路３０１、音声処理回路３０２、制御回路３０３、不揮発性メモリ３０４、入力インタフェース３０５、グラフィック処理装置３０６、メモリカードインタフェース３０７および通信インタフェース３０８を備えており、これらの各部はバス３０９を介して接続されている。
【００５０】
無線処理回路３０１には、キャリアシステム５００の基地局５０２との間で無線通信するためのアンテナ３０１ａが接続されている。無線処理回路３０１は、アンテナ３０１ａからの受信信号の復調やデータ分離、送信すべきデータの生成や変調などを行う。
【００５１】
音声処理回路３０２には、スピーカ３０２ａおよびマイクロフォン３０２ｂが接続されている。音声処理回路３０２は、通話が行われる際、マイクロフォン３０２ｂによって収音された音声信号をエンコードして、無線処理回路３０１に供給する。これとともに、音声処理回路３０２は、無線処理回路３０１によって受信電波から復調された音声信号をデコードして増幅し、通話音声をスピーカ３０２ａに再生出力させる。
【００５２】
制御回路３０３は、ＣＰＵ、ＲＡＭなどを備え、携帯電話機３００全体を統括的に制御する。例えば、制御回路３０３は、無線処理回路３０１を通じた通話処理やデータ通信処理の制御、不揮発性メモリ３０４に記憶されたアプリケーションプログラムの実行などを行う。
【００５３】
不揮発性メモリ３０４は、制御回路３０３が実行する各種プログラムや、プログラムの実行に必要な各種データなどが記憶される。不揮発性メモリ３０４は、フラッシュメモリなどの半導体メモリとして実現される。なお、不揮発性メモリ３０４の代わりにＨＤＤなどの他の種類の不揮発性記憶媒体が設けられてもよい。
【００５４】
入力インタフェース３０５には、入力キー３０５ａが接続されている。入力インタフェース３０５は、入力キー３０５ａからの出力信号を制御回路３０３に送信する。なお、入力キー３０５ａは、入力デバイスの一例であり、例えば、モニタ３０６ａに設けられるタッチパネルなどの他の入力デバイスを使用することもできる。
【００５５】
グラフィック処理装置３０６には、モニタ３０６ａが接続されている。モニタ３０６ａは、例えば、液晶ディスプレイ、有機ＥＬ（Electroluminescence）ディスプレイなどである。グラフィック処理装置３０６は、制御回路３０３からの命令に従って、画像をモニタ３０６ａに表示させる。
【００５６】
メモリカードインタフェース３０７には、記憶デバイスとしてフラッシュメモリなどを用いた可搬型記憶装置であるメモリカード３０７ａが接続される。メモリカードインタフェース３０７は、メモリカード３０７ａから読み出したデータを制御回路３０３に出力する。また、メモリカードインタフェース３０７は、制御回路３０３から書き込みが要求されたデータをメモリカード３０７ａに書き込む。
【００５７】
通信インタフェース３０８は、ＰＣ２００の通信インタフェース２０８と同じ通信規格に従って、他の機器との間で通信を行う。本実施の形態では、携帯電話機３００は、通信インタフェース３０８を通じて、ＰＣ２００との間で通信する。
【００５８】
次に、図５は、情報処理システムにおける動作の概要を示す図である。
キャリアシステム５００を運営する携帯電話キャリアは、キャリアシステム５００を通じてインターネット１００に接続する際の通信料金について、次のような割引サービスを提供する。携帯電話キャリアは、ＰＣ２００が、特定のインターネットプロバイダを通じて、特定のＷｅｂサイトにアクセスした場合に、そのＷｅｂサイトに対して携帯電話機３００からキャリアシステム５００を通じてアクセスした際の通信料金に、割引を適用する。
【００５９】
携帯電話キャリアは、割引情報サーバ１３０の記憶装置内に、割引サービスの対象とするインターネットプロバイダやＷｅｂサイトをあらかじめ登録しておく。割引情報サーバ１３０の記憶装置には、提携プロバイダＤＢ（データベース）１３１とＷｅｂサイトＤＢ（データベース）１３２とが格納される。
【００６０】
提携プロバイダＤＢ１３１には、割引サービスの対象とするインターネットプロバイダを識別する情報が登録される。例えば、図５に示すように、インターネット１００に対する接続サービスを提供する２つのインターネットプロバイダＸ，Ｙが存在するものとする。そして、これらのうちインターネットプロバイダＸが、携帯電話キャリアによってあらかじめ割引サービスの対象として指定されているものとする。この場合、提携プロバイダＤＢ１３１には、インターネットプロバイダＸのプロバイダ名、あるいは、インターネットプロバイダＸが使用するグローバルＩＰアドレスの範囲などが登録される。
【００６１】
ＷｅｂサイトＤＢ１３２には、割引サービスの対象とするＷｅｂサイトを識別する情報が登録される。例えば、図５に示すように、インターネット１００には、それぞれＷｅｂサイトＡ，Ｂ，Ｃを提供するＷｅｂサーバ１１０ａ，１１０ｂ，１１０ｃが接続されているものとする。そして、これらのうちＷｅｂサイトＡが、携帯電話キャリアによってあらかじめ割引サービスの対象として指定されているものとする。この場合、ＷｅｂサイトＤＢ１３２には、ＷｅｂサイトＡに含まれるＷｅｂページを識別可能な情報（例えば、ＷｅｂサイトＡのＵＲＬにおけるドメイン名）が登録される。
【００６２】
上記例のように提携プロバイダＤＢ１３１およびＷｅｂサイトＤＢ１３２に情報が登録されている場合には、次のような割引サービスが行われる。ＰＣ２００がインターネットプロバイダＸの接続システムを通じてインターネット１００に接続している状態において、ユーザがＰＣ２００を用いてＷｅｂサイトＡを閲覧した場合に、ユーザは、同じＷｅｂサイトＡを携帯電話機３００を用いて閲覧する際に、割引料金の適用を受けることができる。しかし、ＰＣ２００がインターネットプロバイダＹの接続システムを通じてインターネット１００に接続している場合や、ユーザがＰＣ２００を用いてＷｅｂサイトＢまたはＷｅｂサイトＣを閲覧した場合には、ユーザは、ＷｅｂサイトＢ，Ｃを携帯電話機３００を用いて閲覧する際に、割引料金の適用を受けることはできない。
【００６３】
ここで、図６は、提携プロバイダＤＢに登録される情報の例を示す図である。
提携プロバイダＤＢ１３１には、例えば、割引サービスの対象とするインターネットプロバイダが使用するグローバルＩＰアドレスの範囲が登録される。ここで言うグローバルＩＰアドレスとは、端末装置がプロバイダシステムを通じてインターネット１００にアクセスした際に、インターネット１００上に送信されるパケット内に送信元ＩＰアドレスとして記載されるアドレスである。なお、割引サービスの対象とするインターネットプロバイダが複数ある場合には、提携プロバイダＤＢ１３１にも、複数のアドレス範囲が登録される。
【００６４】
図７は、ＷｅｂサイトＤＢに登録される情報の例を示す図である。
ＷｅｂサイトＤＢ１３２には、例えば、割引サービスの対象とするＷｅｂサイトのドメイン名が登録される。さらに、ＷｅｂサイトＤＢ１３２には、ドメイン名に対応付けて、サービスコードが登録されてもよい。サービスコードは、割引サービスの種別を示す情報であり、例えば、通信料金の割引率ごとに個別の値をとる。例えば、「０００１」は割引率１０％、「００１０」は割引率２０％を示す。このようなサービス情報をドメイン名ごとに設定しておくことで、Ｗｅｂサイトごとに異なる割引率を適用することが可能になる。なお、Ｗｅｂサイトごとに割引率を変えない場合には、サービスコードは登録されなくてよい。
【００６５】
また、上記の図６，図７の例では、Ｗｅｂサイトごとに異なる割引率を適用できるようにしたが、さらに、Ｗｅｂサイトの閲覧の際に経由したインターネットプロバイダごとに異なる割引率を設定できるようにしてもよい。この場合、例えば、提携プロバイダＤＢ１３１において、各インターネットプロバイダについてのＩＰアドレス範囲ごとに、サービスコードを登録しておく。
【００６６】
以下、図５に戻って説明する。
ＰＣ２００が特定のインターネットプロバイダを通じて特定のＷｅｂサイトにアクセスしたことは、ブックマーク情報を用いて、ＰＣ２００から携帯電話機３００に通知される。ブックマーク情報は、Ｗｅｂブラウザを用いて表示中のＷｅｂページのＵＲＬを、ユーザの操作に応じて装置内に保存した情報である。ユーザは、Ｗｅｂブラウザの画面からブックマーク情報を呼び出すことで、呼び出したブックマーク情報に記載されたＵＲＬに対応するＷｅｂページを、Ｗｅｂブラウザの画面に表示させることができる。
【００６７】
ここで、ユーザが携帯電話機３００の通信料金の割引サービスを受けるまでの処理手順の概要について、順を追って説明する。
まず、ＰＣ２００は、例えば一定時間ごとに、自装置が接続しているプロバイダシステムが、割引サービスの対象とされたインターネットプロバイダのシステムかを判定する。ＰＣ２００は、ＩＰアドレス調査サーバ１２０にアクセスすることなどにより、自装置がインターネット１００に接続する際のグローバルＩＰアドレスを認識する。ＰＣ２００は、認識したグローバルＩＰアドレスを割引情報サーバ１３０に通知し、通知したＩＰアドレスが提携プロバイダＤＢ１３１に登録されているかを問い合わせる。通知したＩＰアドレスが提携プロバイダＤＢ１３１に登録されていた場合、割引情報サーバ１３０はその旨をＰＣ２００に通知する（ステップＳ１１）。
【００６８】
次に、ユーザの操作によりＰＣ２００のＷｅｂブラウザが起動され、ＰＣ２００がＷｅｂサーバにアクセスすることにより、Ｗｅｂブラウザの画面上にＷｅｂページが表示される（ステップＳ１２）。ここで、ユーザの操作により、表示中のＷｅｂページのＵＲＬがブックマークされたとき、ＰＣ２００は、現在接続しているプロバイダシステムを運営するインターネットプロバイダと、ブックマークしたＷｅｂページとが、それぞれ割引サービスの対象であるかを判定する。
【００６９】
ＰＣ２００は、前述の処理により、接続しているプロバイダシステムが割引サービスの対象とされたインターネットプロバイダのシステムであると判定されていた場合には、さらに、割引情報サーバ１３０に対してブックマークしたＵＲＬを通知し、通知したＵＲＬがＷｅｂサイトＤＢ１３２に登録されているかを問い合わせる。通知したＵＲＬがＷｅｂサイトＤＢ１３２に登録されていた場合、割引情報サーバ１３０は、そのＵＲＬに対応付けられたサービスコードをＰＣ２００に通知する（ステップＳ１３）。
【００７０】
ＰＣ２００は、現在接続しているプロバイダシステムを運営するインターネットプロバイダと、ブックマークしたＷｅｂページとが、ともに割引サービスの対象であると判定すると、割引情報サーバ１３０から通知されたサービスコードを、ＵＲＬに付加してブックマーク情報に登録する（ステップＳ１４）。なお、現在接続しているプロバイダシステムが、割引サービスの対象とされたインターネットプロバイダのシステムでない場合、および、ブックマークしたＷｅｂページが割引サービスの対象でない場合には、ＰＣ２００は、ブックマーク情報にＵＲＬのみ登録する。
【００７１】
次に、ユーザは、ＰＣ２００に対して携帯電話機３００を接続する。ＰＣ２００は、携帯電話機３００が接続されたことを検知すると、例えば自動的に、登録されたブックマーク情報を携帯電話機３００に送信する（ステップＳ１５）。このとき、ＵＲＬにサービスコードが付加されている場合には、付加されたサービスコードもＵＲＬとともに携帯電話機３００に送信される。
【００７２】
携帯電話機３００は、受信したブックマーク情報を、自装置内のＷｅｂブラウザのブックマーク情報として使用する。ユーザは、携帯電話機３００のＷｅｂブラウザの画面からブックマーク情報を呼び出し、ブックマーク情報内に登録されたＵＲＬを選択する。携帯電話機３００は、選択されたＵＲＬにアクセスし、そのＵＲＬが示すＷｅｂページを自装置のモニタ３０６ａに表示する（ステップＳ１６）。
【００７３】
携帯電話機３００は、ブックマーク情報から選択されたＵＲＬにアクセスする際、そのＵＲＬにサービスコードが付加されているかを判定する。サービスコードが付加されている場合、携帯電話機３００は、サービスコードに応じた通信料金の割引を受けることができる。携帯電話機３００は、例えば、キャリアシステム５００内に設けられた、サービスコードに対応するプロキシサーバにアクセスし、そのプロキシサーバを通じてＷｅｂサーバにアクセスすることで、通信料金の割引サービスを受ける。
【００７４】
以上の図５で説明した処理によれば、ユーザは、例えば、ＰＣ２００を用いて日常的に閲覧しているＷｅｂサイトを携帯電話機３００を用いて閲覧する際に、安価な通信料金でそのＷｅｂサイトを閲覧できるようになる。また、ユーザが割引サービスを受けられるようになるまでには、ユーザはＰＣ２００と携帯電話機３００とを接続する操作のみを行えばよく、その他の処理はＰＣ２００および携帯電話機３００とが自動的に実行する。従って、ユーザはごく簡単な操作で割引サービスを受けることができる。
【００７５】
さらに、携帯電話キャリアにとっては、例えば、自身と関連するＷｅｂサイトを割引サービスの対象に設定しておくことで、そのＷｅｂサイトがユーザに閲覧される機会を増やすことができる。このような場合、携帯電話キャリアは、例えば、自身と関連するＷｅｂサイトを閲覧することの対価として、ユーザに対して通信料金の割引サービスを提供する。
【００７６】
また、携帯電話キャリアは、自身と提携関係にある業者に関するＷｅｂサイトを割引サービスの対象に設定することもできる。このような場合、携帯電話キャリアは、キャリアシステム５００を通じてそのＷｅｂサイトを閲覧する際の通信料金を低減する代わりに、そのＷｅｂサイトに関連する業者から、Ｗｅｂサイトの閲覧機会が増えたことに対する対価として所定の料金を受け取る、といったビジネスモデルを構築することもできる。
【００７７】
さらに、携帯電話キャリアが、自身と提携関係にあるインターネットプロバイダを割引サービスの対象に設定しておくことで、携帯電話キャリアとインターネットプロバイダの両方において加入者が増加するなどのメリットが生じる。
【００７８】
次に、ＰＣ２００の処理について説明する。まず、図８は、ＰＣが備える処理機能の構成例を示すブロック図である。
ＰＣ２００は、Ｗｅｂ閲覧処理部２２１、ブックマーク処理部２２２、プロバイダ調査部２３１、情報付加処理部２３２および同期処理部２３３を備える。ここで、Ｗｅｂ閲覧処理部２２１およびブックマーク処理部２２２の処理は、例えば、ＰＣ２００のＣＰＵ２０１がＷｅｂブラウザプログラム２２０を実行することで実現される。一方、プロバイダ調査部２３１、情報付加処理部２３２および同期処理部２３３の処理は、例えば、ＰＣ２００のＣＰＵ２０１が割引適用プログラム２３０を実行することで実現される。なお、割引適用プログラム２３０がＰＣ２００にインストールされたとき、割引適用プログラム２３０のうち、例えば、情報付加処理部２３２の処理を実行するためのプログラム領域は、Ｗｅｂブラウザプログラム２２０のプラグインとしてインストールされる。
【００７９】
また、ＰＣ２００は、ブックマーク情報２２３、アドレス範囲２３４およびプロバイダフラグ２３５を記憶する。ブックマーク情報２２３およびアドレス範囲２３４は、例えば、ＰＣ２００のＨＤＤ２０３に記憶され、プロバイダフラグ２３５は、例えば、ＰＣ２００のＲＡＭ２０２に記憶される。
【００８０】
Ｗｅｂ閲覧処理部２２１は、Ｗｅｂサーバと通信して、Ｗｅｂサーバから提供されるＷｅｂページをモニタ２０４ａに表示させる。
ブックマーク処理部２２２は、Ｗｅｂ閲覧処理部２２１によるＷｅｂページの表示処理中に、ブックマークの要求操作を受け付けると、表示処理中のＷｅｂページの名称およびＵＲＬをＷｅｂ閲覧処理部２２１から取得して、ブックマーク情報２２３に登録する。また、ブックマーク情報２２３に登録されたＷｅｂページ名に対する選択操作を受け付けると、選択されたＷｅｂページに対応付けられたＵＲＬをＷｅｂ閲覧処理部２２１に通知し、Ｗｅｂページの表示を要求する。要求を受けたＷｅｂ閲覧処理部２２１は、ブックマーク処理部２２２から通知されたＵＲＬが示すＷｅｂサーバにアクセスし、アクセスしたＷｅｂサーバから提供されるＷｅｂページをモニタ２０４ａに表示させる。
【００８１】
プロバイダ調査部２３１は、現在接続されているプロバイダシステムが、割引サービスの対象とされたインターネットプロバイダのシステムかを判定する。プロバイダ調査部２３１は、プライベートＩＰアドレスの範囲を示すアドレス範囲２３４を参照可能になっている。アドレス範囲２３４には、プライベートＩＰアドレスとしての使用が許可されているＩＰアドレスの範囲（例えば、１０．０．０．０〜１０．２５５．２５５．２５５，１７２．１６．０．０〜１７２．３１．２５５．２５５，１９２．１６８．０．０〜１９２．１６８．２５５．２５５など）が登録されている。
【００８２】
プロバイダ調査部２３１は、アドレス範囲２３４に登録された情報や、ＩＰアドレス調査サーバ１２０へのアクセスに対する応答から、ＰＣ２００がインターネット１００に接続する際に使用するグローバルＩＰアドレスを認識する。プロバイダ調査部２３１は、グローバルＩＰアドレスを割引情報サーバ１３０に通知して、通知したグローバルＩＰアドレスを使用するインターネットプロバイダが割引サービスの対象であるかを問い合わせる。
【００８３】
プロバイダ調査部２３１は、割引情報サーバ１３０への問い合わせの結果、現在接続されているプロバイダシステムが、割引サービスの対象とされたインターネットプロバイダのシステムである場合に、プロバイダフラグ２３５を「１」に設定する。一方、プロバイダ調査部２３１は、現在接続されているプロバイダシステムが、割引サービスの対象とされたインターネットプロバイダのシステムでない場合に、プロバイダフラグ２３５を「０」に設定する。
【００８４】
情報付加処理部２３２は、ブックマーク処理部２２２がブックマークを行ったとき、プロバイダフラグ２３５が「１」である場合に、ブックマーク情報２２３に登録されたＵＲＬが示すＷｅｂページが、割引サービスの対象かを判定する。情報付加処理部２３２は、ブックマークされたＵＲＬを割引情報サーバ１３０に通知し、通知したＵＲＬが割引サービスの対象かを問い合わせる。情報付加処理部２３２は、割引情報サーバ１３０への問い合わせの結果、通知したＵＲＬが割引サービスの対象であった場合には、割引情報サーバ１３０からサービスコードを受信し、受信したサービスコードを、ブックマーク情報２２３に登録されたＵＲＬに付加する。
【００８５】
同期処理部２３３は、ＰＣ２００が携帯電話機３００に接続したことを検知すると、自動的に起動する。同期処理部２３３は、登録されたブックマーク情報２２３を、接続された携帯電話機３００に対して送信する。
【００８６】
次に、プロバイダ調査部２３１の処理について説明する。まず、図９は、ＰＣのプロバイダシステムに対する第１の接続形態例を示す図である。また、図１０は、ＰＣのプロバイダシステムに対する第２の接続形態例を示す図である。
【００８７】
図９，図１０では、例として、宅内に３つのＰＣ２００ａ〜２００ｃが接続されており、各ＰＣ２００ａ〜２００ｃは、ブロードバンドルータ４１０を介してプロバイダシステム４００のルータ４０２に接続するものとする。このような接続形態では、図９の例のように、ブロードバンドルータ４１０のＷＡＮ（Wide Area Network）側にグローバルＩＰアドレスが割り当てられる場合と、図１０の例のように、ＰＣ２００ａ〜２００ｃのそれぞれに対してグローバルＩＰアドレスが割り当てられる場合とが考えられる。
【００８８】
図１０の例のように、ＰＣ２００ａ〜２００ｃのそれぞれにグローバルＩＰアドレスが割り当てられている場合、ＰＣ２００ａ〜２００ｃのそれぞれのプロバイダ調査部２３１は、自装置がインターネット１００に接続する際に使用するグローバルＩＰアドレスは、自装置に割り当てられたＩＰアドレスと同じであることを認識できる。一方、図９のように、ブロードバンドルータ４１０のＷＡＮ側にグローバルＩＰアドレスが割り当てられている場合、ＰＣ２００ａ〜２００ｃのそれぞれには、ブロードバンドルータ４１０から自動設定された（またはユーザによって手動で設定された）プライベートＩＰアドレスが割り当てられる。このような場合、ＰＣ２００ａ〜２００ｃのそれぞれのプロバイダ調査部２３１は、自装置がインターネット１００に接続する際に使用するグローバルＩＰアドレスを、ＩＰアドレス調査サーバ１２０に問い合わせる。
【００８９】
図１１は、ＩＰアドレス調査サーバとの間で送受信されるパケットの構成例を示す図である。
ＰＣからＩＰアドレス調査サーバ１２０に送信される送信パケットと、ＩＰアドレス調査サーバ１２０からＰＣに返信される返信パケットは、ともに、先頭にヘッダ領域が設けられ、その次にデータ領域が設けられた基本構成を有する。ヘッダ領域には、送信元ＩＰアドレスと、宛先ＩＰアドレスとが設定される。図９のように、ブロードバンドルータ４１０のＷＡＮ側にグローバルＩＰアドレスが割り当てられている場合、例えばＰＣ２００ａから送信された送信パケットのヘッダ領域に設定された送信元ＩＰアドレスは、ブロードバンドルータ４１０によってプライベートＩＰアドレスからグローバルＩＰアドレスに書き替えられる。
【００９０】
ＩＰアドレス調査サーバ１２０は、ブロードバンドルータ４１０からプロバイダシステム４００およびインターネット１００を通じて送信された送信パケットを受信すると、そのヘッダ領域から送信元ＩＰアドレスを抽出する。ＩＰアドレス調査サーバ１２０は、ＰＣ２００ａに返信する返信パケットのデータ領域に、送信パケットから抽出した送信元ＩＰアドレスを設定する。このとき設定される送信元ＩＰアドレスが、ＰＣ２００ａがインターネット１００に接続する際に使用するグローバルＩＰアドレスとなり、ＰＣ２００ａは、ＩＰアドレス調査サーバ１２０から受信した返信パケットのデータ領域から、グローバルＩＰアドレスを認識する。
【００９１】
なお、ＩＰアドレス調査サーバ１２０は、上記のように受信パケット内の送信元ＩＰアドレスを利用する代わりに、ＰＣから受信したパケットの経路をトレースすることにより、ＰＣに対してグローバルＩＰアドレスを通知してもよい。
【００９２】
また、図９に示した接続形態例では、ブロードバンドルータ４１０のＷＡＮ側にグローバルＩＰアドレスが割り当てられた場合を示したが、別の例として、ブロードバンドルータ４１０のＷＡＮ側に、インターネットプロバイダが指定したプライベートＩＰアドレスが割り当てられる場合もある。このような場合、例えばＰＣ２００ａから送信されたパケットの送信元ＩＰアドレスは、ブロードバンドルータ４１０によって変換された後、プロバイダシステム４００のゲートウェイサーバ４０３によって、グローバルＩＰアドレスに変換される。このような構成の場合でも、ＰＣ２００ａのプロバイダ調査部２３１は、ＩＰアドレス調査サーバ１２０に問い合わせることで、自装置がインターネット１００に接続する際に使用するグローバルＩＰアドレスを認識することができる。
【００９３】
図１２は、プロバイダ調査部の処理手順の例を示すフローチャートである。
［ステップＳ２１］プロバイダ調査部２３１は、ＰＣ２００に設定されているＩＰアドレスを確認する。プロバイダ調査部２３１は、例えば、ＯＳが提供するＩＰアドレスの通知機能に対して、「ｉｐｃｏｎｆｉｇ．ｓｙｓ」コマンドを発行することで、ＩＰアドレスを確認する。
【００９４】
［ステップＳ２２］プロバイダ調査部２３１は、アドレス範囲２３４を参照し、ステップＳ２１で確認した、ＰＣ２００のＩＰアドレスが、アドレス範囲２３４に登録されたプライベートＩＰアドレスの範囲に含まれるかを判定する。プロバイダ調査部２３１は、ＰＣ２００のＩＰアドレスがアドレス範囲２３４に登録されており、このＩＰアドレスがプライベートＩＰアドレスであると判定した場合には、ステップＳ２３の処理を実行する。一方、ＰＣ２００のＩＰアドレスがアドレス範囲２３４に登録されておらず、このＩＰアドレスがグローバルＩＰアドレスであると判定した場合には、ステップＳ２４の処理を実行する。
【００９５】
［ステップＳ２３］プロバイダ調査部２３１は、ＩＰアドレス調査サーバ１２０にアクセスし、ＰＣ２００がインターネット１００に接続する際に使用するグローバルＩＰアドレスを問い合わせる。プロバイダ調査部２３１は、ＩＰアドレス調査サーバ１２０からの応答パケットから、グローバルＩＰアドレスを認識する。
【００９６】
［ステップＳ２４］プロバイダ調査部２３１は、ステップＳ２２でグローバルＩＰアドレスであると判定した、ＰＣ２００のＩＰアドレス、または、ステップＳ２３でＩＰアドレス調査サーバ１２０から通知を受けたグローバルＩＰアドレスを、割引情報サーバ１３０に送信して、送信したグローバルＩＰアドレスが、割引サービスの対象とされたインターネットプロバイダに割り当てられたものかを問い合わせる。
【００９７】
［ステップＳ２５］プロバイダ調査部２３１は、ステップＳ２４での問い合わせに対する応答に基づき、割引情報サーバ１３０に送信したグローバルＩＰアドレスが、割引サービスの対象とされたインターネットプロバイダに割り当てられたものかを判定する。なお、プロバイダ調査部２３１は、送信したグローバルＩＰアドレスが割引サービス対象のインターネットプロバイダに割り当てられている場合、割引情報サーバ１３０からサービスコードを受信する。
【００９８】
プロバイダ調査部２３１は、グローバルＩＰアドレスが割引サービス対象のインターネットプロバイダに割り当てられている場合、ステップＳ２６の処理を実行する。一方、プロバイダ調査部２３１は、グローバルＩＰアドレスが割引サービス対象のインターネットプロバイダに割り当てられていない場合、ステップＳ２７の処理を実行する。
【００９９】
［ステップＳ２６］ステップＳ２５で「Ｙｅｓ」と判定された場合、すなわち、現在接続しているプロバイダシステムが、割引サービス対象のインターネットプロバイダのシステムである場合、プロバイダ調査部２３１は、プロバイダフラグ２３５を「１」に設定する。
【０１００】
［ステップＳ２７］ステップＳ２５で「Ｎｏ」と判定された場合、すなわち、現在接続しているプロバイダシステムが、割引サービス対象のインターネットプロバイダのシステムでない場合、プロバイダ調査部２３１は、プロバイダフラグ２３５を「０」に設定する。
【０１０１】
以上の図１２の処理は、例えば、一定時間ごとに繰り返し実行される。これにより、プロバイダフラグ２３５は、現在接続しているプロバイダシステムが、割引サービス対象のインターネットプロバイダのシステムであるかを、常時示すようになる。また、図１２の処理は、例えば、Ｗｅｂ閲覧処理部２２１によってＰＣ２００のモニタ２０４ａにＷｅｂブラウザが表示されたときに実行され、それ以後、Ｗｅｂブラウザの表示が終了されるまで、一定時間ごとに実行されてもよい。さらに、図１２の処理は、Ｗｅｂブラウザが表示された状態で、ユーザによってブックマーク操作が行われたときに実行されてもよい。
【０１０２】
次に、ＰＣ２００でのブックマーク処理について説明する。まず、図１３は、ブックマーク処理手順の例を示すフローチャートである。
［ステップＳ３１］Ｗｅｂ閲覧処理部２２１の処理により、ＰＣ２００のモニタ２０４ａにＷｅｂページが表示されている状態で、ユーザによってブックマーク操作が行われると、ブックマーク処理部２２２は、Ｗｅｂ閲覧処理部２２１から、表示中のＷｅｂページの名称およびＵＲＬを、ブックマーク情報２２３に対応付けて登録する。なお、ブックマーク処理部２２２は、Ｗｅｂページの名称およびＵＲＬをブックマーク情報２２３に登録する際には、ユーザによる指定操作に基づき、Ｗｅｂページの名称をブックマーク画面に表示する際のフォルダを指定することも可能である。
【０１０３】
［ステップＳ３２］情報付加処理部２３２は、プロバイダフラグ２３５を参照する。情報付加処理部２３２は、プロバイダフラグ２３５が「１」の場合にはステップＳ３３の処理を実行する。一方、情報付加処理部２３２は、プロバイダフラグ２３５が「０」の場合には、ブックマーク処理を終了する。
【０１０４】
［ステップＳ３３］プロバイダフラグ２３５が「１」の場合、すなわち、現在接続しているプロバイダシステムが、割引サービス対象のインターネットプロバイダのシステムである場合、情報付加処理部２３２は、ステップＳ３１でブックマーク情報２２３に登録されたＵＲＬを割引情報サーバ１３０に送信し、送信したＵＲＬが示すＷｅｂページが、割引サービスの対象であるかを問い合わせる。
【０１０５】
［ステップＳ３４］情報付加処理部２３２は、割引情報サーバ１３０からの応答に基づき、ステップＳ３３で送信したＵＲＬが割引サービスの対象である場合には、ステップＳ３５の処理を実行する。なお、送信したＵＲＬが割引サービスの対象である場合、情報付加処理部２３２は、割引情報サーバ１３０からサービスコードを受信する。一方、情報付加処理部２３２は、ステップＳ３３で送信したＵＲＬが割引サービスの対象でない場合には、ブックマーク処理を終了する。
【０１０６】
［ステップＳ３５］情報付加処理部２３２は、ステップＳ３１でブックマーク情報２２３に登録されたＵＲＬに対して、割引情報サーバ１３０から受信したサービスコードを付加する。
【０１０７】
図１４は、ＰＣに記憶されるブックマーク情報のデータ構造例を示す図である。図１４に示すように、ＰＣ２００に記憶されるブックマーク情報２２３には、フォルダ名、名称、ＵＲＬおよびサービスコードの項目が設けられる。
【０１０８】
名称の項目には、ブックマークされたＷｅｂページの名称が登録される。ＵＲＬの項目には、ブックマークされたＷｅｂページのＵＲＬが登録される。サービスコードの項目には、ブックマークされたＷｅｂページを携帯電話キャリアを通じて閲覧した際に通信料金の割引サービスが受けられる場合に、その割引率を示すサービスコードが登録される。
【０１０９】
なお、割引サービスが受けられないＷｅｂページについては、サービスコードの項目には何も登録されない。別の例として、割引サービスが受けられないＷｅｂページについては、サービスコードの項目に特定の値（「００００」など）が登録されてもよい。
【０１１０】
また、ブックマーク処理部２２２は、ブックマーク情報２２３に登録されたＷｅｂページの名称を、階層構造で表示できるようになっている。図１４の例では、Ｗｅｂページの名称は、ルート階層とその下層の２階層で表示される。フォルダ名の項目には、対応付けられたＷｅｂページの名称を表示する際の階層についての情報が登録される。フォルダ名の項目に「ルート」が設定されている場合、対応するＷｅｂページの名称はルート階層に表示される。フォルダ名の項目に「趣味」などのフォルダの名称が設定されている場合、対応するＷｅｂページの名称は、その名称が付されたフォルダの配下に表示される。
【０１１１】
なお、ブックマーク情報２２３に登録される情報のうち、サービスコードの項目に登録される情報については、外部に対して秘匿されていることが望ましい。なぜなら、サービスコードは、ＰＣ２００が特定のインターネットプロバイダを通じて特定のＷｅｂサイトにアクセスしたことを証明する情報であり、不正に利用できないようにすべき情報だからである。
【０１１２】
また、ブックマーク情報２２３に登録される情報のうち、サービスコードの項目の情報と、対応するＵＲＬを示す情報との組合せは、他の項目の情報とは別のファイルとして記憶されてもよい。この場合、例えば、サービスコードの項目の情報と対応するＵＲＬを示す情報とを含むファイルのみ、暗号化されて記憶されてもよい。
【０１１３】
図１５は、ＰＣにおけるブックマーク情報の表示例を示す図である。この図１５の表示例は、図１４に示した登録データの例に基づく表示例である。
ブックマーク処理部２２２は、例えば、Ｗｅｂブラウザ画面上のブックマーク表示ボタンに対する選択操作に応じて、ブックマーク情報２２３に登録された情報を一覧表示するブックマーク画面２２３ａを、モニタ２０４ａに表示させる。図１５に示すように、ブックマーク画面２２３ａには、例えば、「音楽」、「趣味」、「育児」というフォルダが表示されている。なお、ブックマーク画面２２３ａに表示されるフォルダについては、図示しないフォルダ管理情報によって管理されればよい。
【０１１４】
ブックマーク処理部２２２は、図１４に示したブックマーク情報２２３に基づいて、次のようにブックマーク画面２２３ａを表示させる。ブックマーク処理部２２２は、ルート階層に「天気予報」、「ニュース」というＷｅｂページの名称を表示させる。ブックマーク処理部２２２は、「趣味」フォルダの配下に「園芸のページ」、「野菜の病気」というＷｅｂページの名称を表示させ、「育児」フォルダの配下に「家庭の医学」というＷｅｂページの名称を表示させる。
【０１１５】
ブックマーク画面２２３ａに表示されたＷｅｂページの名称のうちの１つが、ユーザの操作によって選択されると、ブックマーク処理部２２２は、選択された名称に対応付けられたＵＲＬをブックマーク情報２２３から読み出して、Ｗｅｂ閲覧処理部２２１に通知する。Ｗｅｂ閲覧処理部２２１は、通知されたＵＲＬに対してアクセスし、ＵＲＬが示すＷｅｂページをモニタ２０４ａに表示させる。
【０１１６】
なお、情報付加処理部２３２は、ブックマーク処理部２２２がブックマーク画面２２３ａを表示させる際に、サービスコードが付加されたＷｅｂページの名称については、割引サービス対象であることが明示されるように表示してもよい。図１５の例では、ブックマーク情報２２３においてサービスコードが付加された「園芸のページ」、「野菜の病気」、「天気予報」の各名称について、下線を引いて示している。割引サービス対象であることを明示する方法としては、他に例えば、Ｗｅｂページの名称の文字色を変える、名称に対して何らかのマークを付加して表示するなどの方法を採用してもよい。
【０１１７】
このように、割引サービス対象であるＷｅｂページを明示することで、ＰＣ２００のユーザは、携帯電話機３００を通じて閲覧したときに通信料金の割引サービスを受けることができるＷｅｂページを認識することができる。なお、ブックマーク画面２２３ａにおいては、サービスコードが付加されていることだけでなく、サービスコードの種類（すなわち、割引率）についてもユーザが認識できるような表示が行われてもよい。
【０１１８】
次に、携帯電話機３００の処理について説明する。まず、図１６は、携帯電話機が備える処理機能の構成例を示すブロック図である。
携帯電話機３００は、Ｗｅｂ閲覧処理部３２１，３２２、ブックマーク処理部３２３および同期処理部３２４を備える。これらの各ブロックの処理は、例えば、携帯電話機３００のＣＰＵ３０１が所定のプログラムを実行することで実現される。なお、Ｗｅｂ閲覧処理部３２１，３２２の処理は、それぞれ、モバイルサイト表示用のＷｅｂブラウザプログラム、ＰＣサイト表示用のＷｅｂブラウザプログラムが実行されることで実現される。また、携帯電話機３００の不揮発性メモリ３０４は、ブックマーク情報３３１を記憶する。
【０１１９】
Ｗｅｂ閲覧処理部３２１，３２２は、ともに、Ｗｅｂサーバと通信して、Ｗｅｂサーバから提供されるＷｅｂページをモニタ３０６ａに表示させる。ただし、Ｗｅｂ閲覧処理部３２１は、モバイル端末装置向けのＷｅｂサイト（モバイルサイト）に特化した表示処理を実行する。これに対して、Ｗｅｂ閲覧処理部３２２は、一般に「フルブラウザ」と呼ばれる、ＰＣ向けのＷｅｂサイト（ＰＣサイト）を適切に表示可能なブラウザ画面を表示させる。
【０１２０】
後述するように、Ｗｅｂ閲覧処理部３２１は、Ｗｅｂサーバにアクセスする際に、キャリアシステム５００内のプロキシサーバ５２０ａを通じてＷｅｂサーバにアクセスする。一方、Ｗｅｂ閲覧処理部３２２は、Ｗｅｂサーバにアクセスする際に、キャリアシステム５００内のプロキシサーバ５２０ｂ〜５２０ｄのいずれかを通じてＷｅｂサーバにアクセスする。
【０１２１】
ブックマーク処理部３２３は、Ｗｅｂ閲覧処理部３２１，３２２のいずれかによるＷｅｂページの表示処理中に、ブックマークの要求操作を受け付けると、表示処理中のＷｅｂページの名称およびＵＲＬをＷｅｂ閲覧処理部３２１，３２２のいずれかから取得して、ブックマーク情報３３１に登録する。
【０１２２】
また、ブックマーク処理部３２３は、ブックマーク情報３３１に登録されたＷｅｂページ名に対する選択操作を受け付けると、選択されたＷｅｂページに対応付けられたＵＲＬをＷｅｂ閲覧処理部３２１，３２２のいずれかに通知し、Ｗｅｂページの表示を要求する。ブックマーク処理部３２３は、ブックマーク情報３３１において、選択されたＷｅｂページにサービスコードが付加された場合には、選択されたＷｅｂページに対応するＵＲＬをＷｅｂ閲覧処理部３２２に通知して、Ｗｅｂページの表示を要求する。これとともに、ブックマーク処理部３２３は、サービスコードに応じたプロキシサーバにアクセスするように、Ｗｅｂ閲覧処理部３２２に要求する。
【０１２３】
同期処理部３２４は、携帯電話機３００がＰＣ２００に接続したことを検知すると、自動的に起動する。同期処理部３２４は、ＰＣ４００からブックマーク情報を受信し、受信したブックマーク情報をブックマーク情報３３１内の所定領域に登録する。
【０１２４】
ここで、ＰＣ２００から携帯電話機３００に対するブックマーク情報の転送処理について説明する。図１７は、ブックマーク情報の転送処理手順の例を示すシーケンス図である。
【０１２５】
ＰＣ２００の通信インタフェース２０８と携帯電話機３００の通信インタフェース３０８とが接続されると、ＰＣ２００の同期処理部２３３は、携帯電話機３００と接続されたことを検知する（ステップＳ４１）。携帯電話機３００の同期処理部３２４も、ＰＣ２００と接続されたことを検知する（ステップＳ４２）。このとき、同期処理部３２４は、ＰＣ２００からの情報送信を待機する状態となる。あるいは、同期処理部３２４が、ＰＣ２００に対してブックマーク情報の転送を要求するようにしてもよい。
【０１２６】
ＰＣ２００の同期処理部２３３は、ブックマーク情報２２３をＨＤＤ２０３から読み出し、通信インタフェース２０８を通じて携帯電話機３００に転送する（ステップＳ４３）。携帯電話機３００の同期処理部３２４は、ＰＣ２００から転送されたブックマーク情報２２３を受信し、自装置に保存されたブックマーク情報３３１の一部として不揮発性メモリ３０４に登録する（ステップＳ４４）。
【０１２７】
なお、ブックマーク情報の転送の際、ＰＣ２００の同期処理部２３３は、例えば、ＰＣ２００に登録されているブックマーク情報２２３のうち、携帯電話機３００内のブックマーク情報３３１に登録されていない情報のみを抽出して、携帯電話機３００に転送してもよい。
【０１２８】
また、本実施の形態では、ＰＣ２００から携帯電話機３００に対してブックマーク情報が直接的に転送されるが、例えば、ＰＣ２００は、サーバ装置を介してブックマーク情報を携帯電話機３００に受け渡してもよい。例えば、ＰＣ２００の同期処理部２３３は、ＰＣ２００内のブックマーク情報２２３が更新されるたびに、または一定時間ごとに、ブックマーク情報２２３を、インターネット１００に接続されたサーバ装置に登録する。携帯電話機３００の同期処理部３２４は、一定時間ごとに、あるいは、Ｗｅｂブラウザの表示開始時などの所定のタイミングで、サーバ装置にアクセスし、サーバ装置に登録されたブックマーク情報を読み込む。
【０１２９】
図１８は、携帯電話機におけるブックマーク情報の表示例を示す図である。
携帯電話機３００に登録されるブックマーク情報３３１のデータ構造は、例えば、図１５に示したＰＣ２００内のブックマーク情報２２３と同様とされる。携帯電話機３００内のブックマーク情報３３１においては、例えば、ＰＣ２００から転送されたブックマーク情報を登録するための専用のフォルダ「ＰＣブックマーク」が作成される。同期処理部３２４は、例えば、ＰＣ２００から転送されたブックマーク情報の初回登録時に、ブックマーク情報３３１に対して「ＰＣブックマーク」フォルダを作成し、作成したフォルダの配下に、ＰＣ２００から受信したブックマーク情報を登録する。
【０１３０】
図１８に示すブックマーク画面３３１ａはこのような方法で登録されたブックマーク情報３３１の内容を表示した場合の例である。ブックマーク画面３３１ａにおいて、「ＰＣブックマーク」フォルダの配下には、図１５に示したブックマーク画面２２３ａに表示されたフォルダ名やＷｅｂページ名が、そのまま表示される。
【０１３１】
なお、「ＰＣブックマーク」フォルダは、ブックマーク情報３３１にあらかじめ設定されていてもよい。あるいは、ユーザが指定した任意のフォルダの配下に、ＰＣ２００から転送されたブックマーク情報が登録されてもよい。
【０１３２】
また、ブックマーク画面３３１ａでは、サービスコードが付加されたＷｅｂページ名については、割引サービス対象であることが明示されるように表示される。これにより、携帯電話機３００を操作するユーザは、通信料金の割引サービスを受けることができるＷｅｂページを認識することができる。図１８の例では、サービスコードが付加されている「園芸のページ」、「野菜の病気」、「天気予報」の各Ｗｅｂページ名について、下線を引いて示している。割引サービス対象であることを明示する方法としては、他に例えば、Ｗｅｂページ名の文字色を変える、Ｗｅｂページ名に対して何らかのマークを付加して表示するなどの方法を採用してもよい。さらに、割引率ごとに異なる表示が行われてもよい。
【０１３３】
次に、携帯電話機３００によるＷｅｂページの表示処理について説明する。まず、図１９は、キャリアシステムの内部構成例を示す図である。
キャリアシステム５００内のネットワーク５０１（図示せず）には、基地局５０２およびゲートウェイサーバ５０３に加えて、プロキシサーバ５２０ａ〜５２０ｄと、課金サーバ５３０とが接続されている。
【０１３４】
プロキシサーバ５２０ａ〜５２０ｄは、それぞれ、携帯電話機３００からＷｅｂサーバに対するアクセスを中継する。携帯電話機３００は、プロキシサーバ５２０ａ〜５２０ｄのいずれかを通じてＷｅｂサーバにアクセスする。Ｗｅｂページの表示を行う際に携帯電話機３００がアクセスするプロキシサーバに応じて、適用される通信料金が異なる。
【０１３５】
携帯電話機３００は、モバイルサイトのＷｅｂページを表示する際には、プロキシサーバ５２０ａにアクセスする。このとき、携帯電話機３００には、モバイルサイト用の通信料金が適用される。また、携帯電話機３００は、割引対象でないＰＣサイトのＷｅｂページを表示する際には、プロキシサーバ５２０ｂにアクセスする。このとき、携帯電話機３００には、ＰＣサイト用の通信料金が適用される。
【０１３６】
さらに、携帯電話機３００は、ブックマーク情報３３１の中からの選択操作に応じて、サービスコートが付加されたＰＣサイトのＷｅｂページを表示する際には、プロキシサーバ５２０ｃ，５２０ｄのいずれかにアクセスする。携帯電話機３００は、例えば、サービスコードが「０００１」の場合、プロキシサーバ５２０ｃにアクセスする。この場合、携帯電話機３００の通信料金は、ＰＣサイト用の通信料金に対して、サービスコード「０００１」に対応する割引率が適用された料金となる。一方、携帯電話機３００は、サービスコードが「００１０」の場合、プロキシサーバ５２０ｄにアクセスする。この場合、携帯電話機３００の通信料金は、ＰＣサイト用の通信料金に対して、サービスコード「００１０」に対応する割引率が適用された料金となる。
【０１３７】
プロキシサーバ５２０ａ〜５２０ｄは、それぞれフロー情報５２１ａ〜５２１ｄを記憶する。フロー情報５２１ａ〜５２０ｄのそれぞれには、Ｗｅｂページ表示処理の際の通信データ量および日時が、ユーザを識別するユーザＩＤごとに登録される。
【０１３８】
課金サーバ５３０は、ユーザごとに課金する通信料金を計算する。課金サーバ５３０は、プロキシサーバ５２０ａ〜５２０ｄからフロー情報５２１ａ〜５２１ｄを定期的に収集し、課金ＤＢ（データベース）５３１に登録する。課金サーバ５３０は、フロー情報を課金ＤＢ５３１に登録する際に、どのプロキシサーバから収集したものかを示す情報を付加しておく。課金サーバ５３０は、課金ＤＢ５３１に基づき、一定期間における通信データ量と、フロー情報の収集元のプロキシサーバに対応する通信料金とから、一定期間における通信料金をユーザごとに計算する。
【０１３９】
図２０は、ブックマークされた情報に基づくＷｅｂページの表示処理手順の例を示すフローチャートである。
［ステップＳ５１］図２０の処理における初期状態では、例として、モバイルサイト用およびＰＣサイト用のいずれのＷｅｂブラウザも表示されていないものとする。この状態で、ユーザの操作によりＷｅｂブラウザの起動が要求されると、Ｗｅｂ閲覧処理部３２１が起動して、モニタ３０６ａにモバイルサイト用のＷｅｂブラウザが表示される。
【０１４０】
［ステップＳ５２］ブックマーク処理部３２３は、ユーザの操作に応じて、ブックマーク画面３３１ａをモニタ３０６ａに表示させる。そして、ブックマーク画面３３１ａに表示されたＷｅｂページ名の１つに対する選択操作が行われると、ブックマーク処理部３２３は、次のステップＳ５３の処理を実行する。
【０１４１】
［ステップＳ５３］ブックマーク処理部３２３は、選択されたＷｅｂページ名が示すＷｅｂページが、割引サービスの対象であるかを判定する。ブックマーク処理部３２３は、ブックマーク情報３３１を参照し、選択されたＷｅｂページ名に対してサービスコードが付加されている場合に、割引サービスの対象であると判定する。
【０１４２】
ブックマーク処理部３２３は、Ｗｅｂページが割引サービスの対象である場合、ステップＳ５９の処理を実行する一方、Ｗｅｂページが割引サービスの対象でない場合、ステップＳ５４の処理を実行する。
【０１４３】
［ステップＳ５４］ブックマーク処理部３２３は、選択されたＷｅｂページ名が示すＷｅｂページが、モバイルサイトのＷｅｂページか、あるいはＰＣサイトのＷｅｂページかを判定する。この処理では、例えば、ブックマーク処理部３２３は、選択したＷｅｂページ名がＰＣサイトのＷｅｂページの名称かをユーザに確認するための画面をモニタ３０６ａに表示させ、その画面を閲覧したユーザによる入力操作に基づいて、モバイルサイトのＷｅｂページか、あるいはＰＣサイトのＷｅｂページかを判定する。ブックマーク処理部３２３は、モバイルサイトのＷｅｂページと判定した場合、ステップＳ５５の処理を実行する一方、ＰＣサイトのＷｅｂページと判定した場合、ステップＳ５７の処理を実行する。
【０１４４】
［ステップＳ５５］ブックマーク処理部３２３は、ステップＳ５２で選択されたＷｅｂページ名に対応するＵＲＬをブックマーク情報３３１から読み出し、読み出したＵＲＬをＷｅｂ閲覧処理部３２１に通知して、Ｗｅｂページの表示を要求する。Ｗｅｂ閲覧処理部３２１は、プロキシサーバ５２０ａにアクセスして、ブックマーク処理部３２３から通知されたＵＲＬに対するアクセスを要求する。プロキシサーバ５２０ａは、アクセスが要求されたＵＲＬに対応するＷｅｂサーバにアクセスし、その応答情報を携帯電話機３００に送信する。
【０１４５】
［ステップＳ５６］Ｗｅｂ閲覧処理部３２１は、プロキシサーバ５２０ａからの応答情報を基に、モバイルサイト用のＷｅｂブラウザ内にＷｅｂページを表示させる。
［ステップＳ５７］ブックマーク処理部３２３は、Ｗｅｂ閲覧処理部３２１の処理を終了させて、モバイルサイト用のＷｅｂブラウザの表示を終了させるとともに、Ｗｅｂ閲覧処理部３２２を起動させる。Ｗｅｂ閲覧処理部３２２は、ＰＣサイト用のＷｅｂブラウザをモニタ３０６ａに表示させる。
【０１４６】
［ステップＳ５８］Ｗｅｂ閲覧処理部３２２は、ステップＳ５２で選択されたＷｅｂページ名に対応するＵＲＬをブックマーク情報３３１から読み出し、読み出したＵＲＬをＷｅｂ閲覧処理部３２２に通知して、Ｗｅｂページの表示を要求する。Ｗｅｂ閲覧処理部３２２は、プロキシサーバ５２０ｂにアクセスして、ブックマーク処理部３２３から通知されたＵＲＬに対するアクセスを要求する。プロキシサーバ５２０ｂは、アクセスが要求されたＵＲＬに対応するＷｅｂサーバにアクセスし、その応答情報を携帯電話機３００に送信する。
【０１４７】
［ステップＳ５９］ブックマーク処理部３２３は、Ｗｅｂ閲覧処理部３２１の処理を終了させて、モバイルサイト用のＷｅｂブラウザの表示を終了させるとともに、Ｗｅｂ閲覧処理部３２２を起動させる。Ｗｅｂ閲覧処理部３２２は、ＰＣサイト用のＷｅｂブラウザをモニタ３０６ａに表示させる。
【０１４８】
［ステップＳ６０］Ｗｅｂ閲覧処理部３２２は、ステップＳ５２で選択されたＷｅｂページ名に対応するＵＲＬおよびサービスコードをブックマーク情報３３１から読み出し、読み出したＵＲＬをＷｅｂ閲覧処理部３２２に通知して、Ｗｅｂページの表示を要求する。
【０１４９】
Ｗｅｂ閲覧処理部３２２は、ブックマーク処理部３２３から通知されたサービスコードに対応するプロキシサーバ（プロキシサーバ５２０ｃ，５２００ｄのいずれか）にアクセスして、ブックマーク処理部３２３から通知されたＵＲＬに対するアクセスを要求する。アクセスを受けたプロキシサーバは、アクセスが要求されたＵＲＬに対応するＷｅｂサーバにアクセスし、その応答情報を携帯電話機３００に送信する。
【０１５０】
［ステップＳ６１］Ｗｅｂ閲覧処理部３２１は、ステップＳ５８またはステップＳ６０でアクセスしたプロキシサーバからの応答情報を基に、ＰＣサイト用のＷｅｂブラウザ内にＷｅｂページを表示させる。
【０１５１】
以上の図２０の処理によれば、ユーザがブックマーク画面３３１ａの中からＷｅｂサイト名を選択してＷｅｂサイトを閲覧しようとした際に、選択されたＷｅｂページ名が割引サービス対象のＷｅｂページの名称である場合には、携帯電話機３００は、割引率に応じたプロキシサーバに自動的にアクセスする。これにより、Ｗｅｂページを表示する際の通信料金が、サービスコードに応じた分だけ割引されるようになる。
【０１５２】
なお、上記の図２０では、モバイルサイト用およびＰＣサイト用のどちらのＷｅｂブラウザも表示されていない状態から、ブックマーク画面３３１ａ内のＷｅｂページ名を受けた場合について示したが、例えば、すでにモバイルサイト用のＷｅｂブラウザにＷｅｂページが表示されていた状態から、ステップＳ５２の処理が実行されてもよい。
【０１５３】
また、ＰＣ用のＷｅｂブラウザにＷｅｂページが表示された状態から、ブックマーク画面３３１ａ内のＷｅｂページ名の選択操作を受けた場合には、例えば、まず、ステップＳ５３の処理が実行される。そして、選択されたＷｅｂページ名が割引サービス対象のＷｅｂページの名称である場合には、ステップＳ５９の処理が実行される一方、選択されたＷｅｂページ名が割引サービス対象のＷｅｂページの名称でない場合には、ステップＳ５７の処理が実行される。
【０１５４】
以上説明した第２の実施の形態では、ユーザは、ＰＣ２００と携帯電話機３００との間で、ブックマーク情報を共用することができる。このため、ユーザは例えば、ＰＣ２００を用いて頻繁に閲覧するＷｅｂページを、携帯電話機３００を使用した状態でも、ブックマーク画面３３１ａから選択することで、容易に閲覧することができる。
【０１５５】
さらに、ユーザは、携帯電話キャリアによって指定されたインターネットプロバイダを通じてＷｅｂページの閲覧を行うことで、ＰＣ２００を用いて頻繁に閲覧するＷｅｂページのうち、携帯電話キャリアによってあらかじめ決められた特定のＷｅｂページを、携帯電話機３００を用いて安価な通信料金で閲覧できる。ユーザは、ＰＣ２００におけるブックマーク操作と、ＰＣ２００と携帯電話機３００との接続操作とを行うだけで、上記のような通信料金の割引サービスを受けることができる。
【０１５６】
ところで、前述のように、ＰＣ２００内のブックマーク情報２２３に保存されるサービスコードや、携帯電話機３００内のブックマーク情報３３１に保存されるサービスコードは、ユーザが割引サービスを受けられることを証明する情報である。このため、サービスコードは、不正に利用されない状態で保存されることが望ましい。例えば、ブックマークされたＵＲＬとサービスコードとの組合せ情報が流通し、その組合せ情報が携帯電話機３００のブックマーク情報３３１に対して容易に追加登録できてしまうと、携帯電話機３００の通信料金が不正に割引されてしまう。
【０１５７】
サービスコードの不正利用を防止する方法としては、少なくとも、サービスコードと、このサービスコードに対応するＵＲＬを示す情報の組合せについて、所定の暗号キーを用いて暗号化する方法がある。
【０１５８】
図２１は、携帯電話機の識別情報を用いてブックマーク情報を暗号化する場合の処理について示す図である。ここでは、携帯電話機３００の識別情報として、携帯電話機３００のＭＡＣ（Media Access Control）アドレスを使用する。
【０１５９】
図２１において、正規のユーザは、ＰＣ２００ａと携帯電話機３００ａとを使用するものとする。ユーザは、あらかじめＰＣ２００ａと携帯電話機３００ａとを接続し、携帯電話機３００ａのＭＡＣアドレスをＰＣ２００ａに登録させる（ステップＳ８１）。例えば、携帯電話機３００ａの同期処理部３２４は、ＰＣ２００ａに対して携帯電話機３００ａのＭＡＣアドレスを送信し、ＰＣ２００ａの同期処理部２３３は、携帯電話機３００ａから受信したＭＡＣアドレスを、ＨＤＤ２０３などの不揮発性記憶部に格納する。
【０１６０】
その後、ＰＣ２００ａにおいてブックマーク操作が行われると、ＰＣ２００ａのブックマーク処理部２２２は、携帯電話機３００ａのＭＡＣアドレスを暗号キーとして使用して、ブックマークが要求されたＷｅｂページ名およびＵＲＬを暗号化してブックマーク情報２２３に登録する。このとき、ＵＲＬにサービスコードを付加する場合には、ＰＣ２００ａの情報付加処理部２３２は、同様に、携帯電話機３００ａのＭＡＣアドレスを暗号キーとして使用して、サービスコードを暗号化してブックマーク情報２２３に登録する（ステップＳ８２）。なお、ブックマーク情報２２３に登録される情報のうち、サービスコード、およびこのサービスコードが付加されたＷｅｂページ名およびＵＲＬのみが、暗号化されてもよい。
【０１６１】
その後、ＰＣ２００ａに対して携帯電話機３００ａが接続されると、ＰＣ２００ａの同期処理部２３３は、ブックマーク情報２２３を携帯電話機３００ａに転送する（ステップＳ８３）。携帯電話機３００ａの同期処理部３２４は、転送されたブックマーク情報を、携帯電話機３００ａ内のブックマーク情報３３１に追加登録する。ここで、ブックマーク情報３３１に追加登録された、暗号化された情報は、携帯電話機３００ａ自身のＭＡＣアドレスを復号キーとして用いることで、復号可能である（ステップＳ８４）。
【０１６２】
また、例えば、ＰＣ２００ａに登録されたブックマーク情報２２３が、他のＰＣ２００ｂに対して不正にコピーされたものとする（ステップＳ８５）。このＰＣ２００ｂに対して、上記の携帯電話機３００ａとは別の携帯電話機３００ｂが接続されると、ＰＣ２００ｂは、ＰＣ２００ａからコピーしたブックマーク情報２２３を携帯電話機３００ｂに転送する（ステップＳ８６）。しかし、携帯電話機３００ｂは、自装置のＭＡＣアドレスを復号キーとして用いた場合、ＰＣ２００ｂから転送されたブックマーク情報を復号することはできない（ステップＳ８７）。従って、サービスコードが不正に利用されて、携帯電話機３００ｂの通信料金が不正に割引されることが防止される。
【０１６３】
なお、サービスコードの不正利用を防止する他の方法として、ＰＣに登録するブックマーク情報をＰＣの識別情報（ＭＡＣアドレスなど）によって暗号化する方法もある。この場合、暗号化されたブックマーク情報を携帯電話機に転送する経路と、復号キー（ＰＣの識別情報）を携帯電話機に通知する経路とを分離することが望ましい。例えば、ＰＣは、暗号化されたブックマーク情報をサーバ装置に格納し、携帯電話機は、そのサーバ装置からブックマーク情報を取得する。これとは別に、携帯電話機は、ＰＣと直接接続することで、ＰＣの識別情報を取得する。これにより、携帯電話機は、ブックマーク情報の暗号化を行ったＰＣと接続した場合のみ、サーバ装置から取得したブックマーク情報を復号できるようになる。
【０１６４】
なお、上記の各実施の形態に示した装置（例えば、情報処理装置１０，２０、ＰＣ２００および携帯電話機３００など）の処理機能は、コンピュータによって実現することができる。その場合、上記各装置が有すべき機能の処理内容を記述したプログラムが提供され、そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリなどがある。磁気記憶装置には、ハードディスク装置（ＨＤＤ）、フレキシブルディスク（ＦＤ）、磁気テープなどがある。光ディスクには、ＤＶＤ、ＤＶＤ−ＲＡＭ、ＣＤ−ＲＯＭ、ＣＤ−Ｒ／ＲＷなどがある。光磁気記録媒体には、ＭＯ（Magneto-Optical disk）などがある。
【０１６５】
プログラムを流通させる場合には、例えば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【０１６６】
プログラムを実行するコンピュータは、例えば、可搬型記録媒体に記録されたプログラムまたはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、ネットワークを介して接続されたサーバコンピュータからプログラムが転送されるごとに、逐次、受け取ったプログラムに従った処理を実行することもできる。
【０１６７】
以上の各実施の形態に関し、さらに以下の付記を開示する。
（付記１）  第１の接続システムを通じてネットワークに接続するとともに、前記ネットワークおよび前記第１の接続システムを通じて取得した情報の識別子を、その内部の記憶部に登録する機能を備えたコンピュータで実行される情報処理プログラムにおいて、
前記コンピュータに、
前記記憶部に識別子を登録する際に、登録する識別子が示す情報を第２の接続システムを通じて取得する際に通信料金の割引を受けられるかを判定し、割引を受けられる場合に、前記登録する識別子に割引情報を付加して前記記憶部に登録し、
前記記憶部に登録された識別子および割引情報を、前記第２の接続システムを通じて前記ネットワークに接続する他の情報処理装置に対して送信する、
処理を実行させることを特徴とする情報処理プログラム。
【０１６８】
（付記２）  前記記憶部に登録された識別子および割引情報を送信する処理では、当該識別子および当該割引情報を、送信された識別子が示す情報を前記ネットワークおよび前記第２の接続システムを通じて取得するとともに、割引情報が付加された識別子が示す情報の取得時に通信料金の割引を適用させる処理において使用されるブックマーク情報として、前記他の情報処理装置に送信することを特徴とする付記１記載の情報処理プログラム。
【０１６９】
（付記３）  前記記憶部に識別子を登録する際には、さらに、前記第１の接続システムが、前記第２の接続システムに対応付けてあらかじめ指定された接続システムかを判定し、前記第１の接続システムが指定された接続システムであり、かつ、前記登録する識別子が示す情報を前記第２の接続システムを通じて取得する際に通信料金の割引を受けられる場合に、前記登録する識別子に割引情報を付加して前記記憶部に登録することを特徴とする付記１または２記載の情報処理プログラム。
【０１７０】
（付記４）  前記記憶部に割引情報を付加した識別子を登録する際に、通信料金の割引率に応じた情報を割引情報に含めることを特徴とする付記１〜３のいずれか１つに記載の情報処理プログラム。
【０１７１】
（付記５）  第１の接続システムを通じてネットワークに接続する情報処理装置において、
第２の接続システムを通じて前記ネットワークに接続する他の情報処理装置が前記ネットワークおよび前記第２の接続システムを通じて取得した情報の識別子を、前記他の情報処理装置から受信して前記情報処理装置内の記憶部に登録するとともに、前記取得した情報を前記第１の接続システムを通じて取得する際に通信料金の割引を受けられると前記他の情報処理装置が判定した場合には、識別子に付加された割引情報も前記他の情報処理装置から受信して前記記憶部に登録する登録部と、
前記記憶部から選択された識別子が示す情報を前記ネットワークおよび前記第１の接続システムを通じて取得するとともに、前記選択された識別子に割引情報が付加されていた場合には、前記選択された識別子が示す情報を取得する際の通信料金が割引されるようにする割引適用処理を実行する情報取得部と、
を有することを特徴とする情報処理装置。
【０１７２】
（付記６）  前記情報取得部は、前記割引適用処理として、前記第１の接続システムに含まれる、それぞれ前記ネットワークに対する接続処理を行う複数の接続処理部のうち、通信料金が割引されない場合とは異なる接続処理部にアクセスすることを特徴とする付記５記載の情報処理装置。
【０１７３】
（付記７）  前記他の情報処理装置から受信した割引情報は割引率に応じた情報を含み、
前記情報取得部は、前記割引適用処理として、前記選択された識別子に付加された割引情報に基づく通信料金の割引率が適用されるようにする、
ことを特徴とする付記５または６記載の情報処理装置。
【０１７４】
（付記８）  前記情報取得部は、前記割引適用処理として、前記第１の接続システムに含まれる、それぞれ前記ネットワークに対する接続処理を互いに異なる通信料金の割引率を適用して行う複数の接続処理部のうち、前記選択された識別子に付加された割引情報に基づく割引率を適用する接続処理部にアクセスすることを特徴とする付記７記載の情報処理装置。
【０１７５】
（付記９）  第１の接続システムを通じてネットワークに接続する第１の情報処理装置と、第２の接続システムを通じて前記ネットワークに接続する第２の情報処理装置とを含む情報処理システムにおいて、
前記第１の情報処理装置は、
前記ネットワークおよび前記第１の接続システムを通じて取得した情報の識別子を、前記第１の情報処理装置内の第１の記憶部に登録するとともに、登録する識別子が示す情報を前記第２の接続システムを通じて取得する際に通信料金の割引を受けられるかを判定し、割引を受けられる場合に、前記登録する識別子に割引情報を付加して前記第１の記憶部に登録する第１の登録部と、
前記第１の記憶部に登録された識別子および割引情報を前記第２の情報処理装置に送信する送信部と、
を有し、
前記第２の情報処理装置は、
前記送信部から送信された識別子および割引情報を、前記第２の情報処理装置内の第２の記憶部に登録する第２の登録部と、
前記第２の記憶部から選択された識別子が示す情報を前記ネットワークおよび前記第２の接続システムを通じて取得するとともに、前記選択された識別子に割引情報が付加されていた場合には、前記選択された識別子が示す情報を取得する際の通信料金が割引されるようにする割引適用処理を実行する情報取得部と、
を有することを特徴とする情報処理システム。
【０１７６】
（付記１０）  前記第１の登録部は、さらに、前記第１の接続システムが、前記第２の接続システムに対応付けてあらかじめ指定された接続システムかを判定し、前記第１の接続システムが指定された接続システムであり、かつ、前記登録する識別子が示す情報を前記第２の接続システムを通じて取得する際に通信料金の割引を受けられる場合に、前記登録する識別子に割引情報を付加して前記記憶部に登録することを特徴とする付記９記載の情報処理システム。
【０１７７】
（付記１１）  前記第２の情報処理装置の前記情報取得部は、前記割引適用処理として、前記第２の接続システムに含まれる、それぞれ前記ネットワークに対する接続処理を行う複数の接続処理部のうち、通信料金が割引されない場合とは異なる接続処理部にアクセスすることを特徴とする付記９または１０記載の情報処理システム。
【０１７８】
（付記１２）  前記第１の情報処理装置の前記第１の登録部は、前記第１の記憶部に割引情報を付加した識別子を登録する際に、通信料金の割引率に応じた情報を割引情報に含め、
前記第２の情報処理装置の前記情報取得部は、前記割引適用処理として、前記選択された識別子に付加された割引情報に基づく通信料金の割引率が適用されるようにする、
ことを特徴とする付記９または１０記載の情報処理システム。
【０１７９】
（付記１３）  前記第２の情報処理装置の前記情報取得部は、前記割引適用処理として、前記第２の接続システムに含まれる、それぞれ前記ネットワークに対する接続処理を互いに異なる通信料金の割引率を適用して行う複数の接続処理部のうち、前記選択された識別子に付加された割引情報に基づく割引率を適用する接続処理部にアクセスすることを特徴とする付記１２記載の情報処理システム。
【０１８０】
（付記１４）  第１の接続システムを通じてネットワークに接続する第１の情報処理装置と、第２の接続システムを通じて前記ネットワークに接続する第２の情報処理装置とを含む情報処理システムにおける情報処理方法であって、
前記第１の情報処理装置が、前記ネットワークおよび前記第１の接続システムを通じて取得した情報の識別子を、前記第１の情報処理装置内の第１の記憶部に登録するとともに、登録する識別子が示す情報を前記第２の接続システムを通じて取得する際に通信料金の割引を受けられるかを判定し、割引を受けられる場合に、前記登録する識別子に割引情報を付加して前記第１の記憶部に登録し、
前記第１の情報処理装置が、前記第１の記憶部に登録された識別子および割引情報を前記第２の情報処理装置に送信し、
前記第２の情報処理装置が、前記第１の情報処理装置から送信された識別子および割引情報を、前記第２の情報処理装置内の第２の記憶部に登録し、
前記第２の情報処理装置が、前記第２の記憶部から選択された識別子が示す情報を前記ネットワークおよび前記第２の接続システムを通じて取得するとともに、前記選択された識別子に割引情報が付加されていた場合には、前記選択された識別子が示す情報を取得する際の通信料金が割引されるようにする割引適用処理を実行する、
ことを特徴とする情報処理方法。
【０１８１】
（付記１５）  前記第１の情報処理装置は、さらに、前記第１の接続システムが、前記第２の接続システムに対応付けてあらかじめ指定された接続システムかを判定し、前記第１の接続システムが指定された接続システムであり、かつ、前記登録する識別子が示す情報を前記第２の接続システムを通じて取得する際に通信料金の割引を受けられる場合に、前記登録する識別子に割引情報を付加して前記記憶部に登録することを特徴とする付記１４記載の情報処理方法。
【０１８２】
（付記１６）  前記第２の情報処理装置は、前記割引適用処理として、前記第２の接続システムに含まれる、それぞれ前記ネットワークに対する接続処理を行う複数の接続処理部のうち、通信料金が割引されない場合とは異なる接続処理部にアクセスすることを特徴とする付記１４または１５記載の情報処理方法。
【０１８３】
（付記１７）  前記第１の情報処理装置は、前記第１の記憶部に割引情報を付加した識別子を登録する際に、通信料金の割引率に応じた情報を割引情報に含め、
前記第２の情報処理装置は、前記割引適用処理として、前記選択された識別子に付加された割引情報に基づく通信料金の割引率が適用されるようにする、
ことを特徴とする付記１４または１５記載の情報処理方法。
【０１８４】
（付記１８）  前記第２の情報処理装置は、前記割引適用処理として、前記第２の接続システムに含まれる、それぞれ前記ネットワークに対する接続処理を互いに異なる通信料金の割引率を適用して行う複数の接続処理部のうち、前記選択された識別子に付加された割引情報に基づく割引率を適用する接続処理部にアクセスすることを特徴とする付記１７記載の情報処理方法。
【符号の説明】
【０１８５】
１  ネットワーク
２ａ，２ｂ  接続システム
３  サーバ装置
３ａ  情報
４  識別子
５  割引情報
１０，２０  情報処理装置
１１，２１  登録部
１２  送信部
１３，２３  記憶部
２２  情報取得部
【図１】
2012248973.tif 000003
【図２】
2012248973.tif 000004
【図３】
2012248973.tif 000005
【図４】
2012248973.tif 000006
【図５】
2012248973.tif 000007
【図６】
2012248973.tif 000008
【図７】
2012248973.tif 000009
【図８】
2012248973.tif 000010
【図９】
2012248973.tif 000011
【図１０】
2012248973.tif 000012
【図１１】
2012248973.tif 000013
【図１２】
2012248973.tif 000014
【図１３】
2012248973.tif 000015
【図１４】
2012248973.tif 000016
【図１５】
2012248973.tif 000017
【図１６】
2012248973.tif 000018
【図１７】
2012248973.tif 000019
【図１８】
2012248973.tif 000020
【図１９】
2012248973.tif 000021
【図２０】
2012248973.tif 000022
【図２１】
2012248973.tif 000023